(57)【特許請求の範囲】
【請求項１】
プリント基板と、このプリント基板の一面側及び他面側の対向領域に形成された導電パターンを接続導体にてジグザク状に接続してなる第１コイルを有する第１の同調回路と、前記プリントの一面側及び他面側の対向領域に形成された導電パターンを接続導体にてジグザク状に接続してなり一端部が前記第１コイルの一端部に近接配置された第２コイルを有する第２の同調回路と、前記プリント基板の一面側に形成された第１の接地用導電パターンと、前記プリント基板の一面側に形成され前記第１、第２コイル間を横切るように前記第１の接地用導電パターンから延出された第１の調整用導電パターンと、前記プリント基板の他面側に形成された第２の接地用導電パターンと、前記プリント基板の他面側に形成され前記第１、第２コイル間を横切るように前記第２の接地用導電パターンから延出された第２の調整用導電パターンとを備え、前記第１のコイルと前記第２のコイルとが互いに向かい合ってコイル軸が直線状に配置され、前記第１、第２の調整用導電パターンが導体によって接続され、前記第１の調整用導電パターンと第２の調整用導電パターンとを接続する導体は、前記第１、第２の調整用導電パターン間の前記プリント基板に形成されたスルーホールに充填されてなり、前記第１の調整用導電パターンを切断することによってＭ結を調整するようにしたことを特徴とする複同調回路の結合調整構造。
【請求項２】
前記第２の調整用導電パターンを切断することによってＭ結を調整するようにしたことを特徴とする請求項１記載の複同調回路の結合調整構造。
【発明の詳細な説明】
【０００１】
【発明の属する技術分野】
本発明はテレビチューナ等に使用して好適な複同調回路の結合調整構造に関する。
【０００２】
【従来の技術】
従来の複同調回路の結合調整構造の構成を図６に基づいて説明すると、プリント基板５１には、種々の電気部品（図示せず）が配置されて、第１、第２の同調回路５２，５３が隣り合わせに形成されている。
また、この第１，第２の同調回路５２，５３の一部を構成する第１，第２コイル５４，５５は、線材が巻回されて形成された巻回部５４ａ、５５ａと、巻回部５４ａ、５５ａの両端部に位置する取付脚５４ｂ、５５ｂとを有する。
【０００３】
そして、この第１，第２コイル５４，５５は、互いに巻回部５４ａ、５５ａが近接した状態で、巻回部５４ａ、５５ａがプリント基板５１上に立設して載置されると共に、取付脚５４ｂ、５５ｂをプリント基板５１に挿通し、取付脚５４ｂ、５５ｂがプリント基板５１の下面に設けられた導電パターン（図示せず）に半田付けされて取り付けられている。
【０００４】
このように構成された複同調回路は、第１，第２コイル５４，５５の互いに対向する巻回部５４，５５の一端側を矢印Ｚ方向に変形させて、Ｍ結の調整を行うようになっている。
【０００５】
【発明が解決しようとする課題】
従来の複同調回路の結合調整構造は、第１，第２コイル５４，５５の巻回部５４ａ、５５ａの一部を変形させるため、巻回部５４ａ、５５ａがプリント基板５１に対して立設されており、従って、高さが大きくなるという問題がある。
【０００６】
そこで、本発明は薄型で、調整の容易な複同調回路の結合調整構造を提供することを目的とする。
【０００７】
【課題を解決するための手段】
上記課題を解決するため、本発明の複同調回路の結合調整構造では、プリント基板と、このプリント基板の一面側及び他面側の対向領域に形成された導電パターンを接続導体にてジグザク状に接続してなる第１コイルを有する第１の同調回路と、前記プリントの一面側及び他面側の対向領域に形成された導電パターンを接続導体にてジグザク状に接続してなり一端部が前記第１コイルの一端部に近接配置された第２コイルを有する第２の同調回路と、前記プリント基板の一面側に形成された第１の接地用導電パターンと、前記プリント基板の一面側に形成され前記第１、第２コイル間を横切るように前記第１の接地用導電パターンから延出された第１の調整用導電パターンと、前記プリント基板の他面側に形成された第２の接地用導電パターンと、前記プリント基板の他面側に形成され前記第１、第２コイル間を横切るように前記第２の接地用導電パターンから延出された第２の調整用導電パターンとを備え、前記第１のコイルと前記第２のコイルとが互いに向かい合ってコイル軸が直線状に配置され、前記第１、第２の調整用導電パターンが導体によって接続され、前記第１の調整用導電パターンと第２の調整用導電パターンとを接続する導体は、前記第１、第２の調整用導電パターン間の前記プリント基板に形成されたスルーホールに充填されてなり、前記第１の調整用導電パターンを切断することによってＭ結を調整する構成とした。
【０００８】
また、第２の解決手段として、前記第２の調整用導電パターンを切断することによってＭ結を調整するようにした構成とした。
【０００９】
【発明の実施の形態】
本発明の複同調回路の結合調整構造の図面を説明すると、図１は複同調回路の結合調整構造の第１実施例に係る平面図、図２は図１の２−２線における断面図、図３は複同調回路の結合調整構造の第２実施例に係る平面図、図４は図３の４−４線における断面図、図５は複同調回路の結合調整構造の第２実施例に係る下面図である。
【００１０】
次に、複同調回路の結合調整構造の第１実施例に係る構成を図１，図２に基づいて説明すると、プリント基板１は、平板状の絶縁板からなり、このプリント基板１には、種々の電気部品（図示せず）が配置されて、第１、第２の同調回路２，３が隣り合わせに形成されている。
【００１１】
また、この第１の同調回路２の一部を構成する第１コイル４は、プリント基板１の一面側に設けられた第１の導電パターン５と、プリント基板１の他面側に設けられた第２の導電パターン６と、第１，第２の導電パターン５，６の対向する端部側に設けられたプリント基板１の貫通孔（スルーホール）１ａに充填されて、第１，第２の導電パターン５，６の端部を互いに接続する接続導体７とで構成されている。
そして、第１，第２の導電パターン５，６とでジグザグ状になると共に、第１の導電パターン５の両端部５ａ、５ｂがそれぞれ第１の同調回路２に接続されている。
【００１２】
また、この第２の同調回路３の一部を構成する第２コイル８は、プリント基板１の一面側に設けられた第１の導電パターン９と、プリント基板１の他面側に設けられた第２の導電パターン１０と、第１，第２の導電パターン９，１０の対向する端部側に設けられたプリント基板１の貫通孔（スルーホール）１ｂに充填されて、第１，第２の導電パターン９，１０の端部を互いに接続する接続導体１１とで構成されている。
そして、第１，第２の導電パターン９，１０とでジグザグ状になると共に、第１の導電パターン９の両端部９ａ、９ｂがそれぞれ第２の同調回路３に接続されている。
【００１３】
更に、第１，第２コイル４，８の一端同士は、互いに近接した状態で配置されている。
また、プリント基板１の一面側には、第１，第２コイル４，８を挟むように形成された一対の接地用導電パターン１２、１３と、この接地用導電パターン１２，１３から第１，第２コイル４，８間を横切るように配置された調整用導電パターン１４とが設けられている。
【００１４】
即ち、このように構成された複同調回路は、第１，第２コイル４，８間に位置する調整用導電パターン１４を切断１５することによって、第１，第２コイル４，８間の結合度を増加させて、複同調回路のＭ結の調整を行うようになっている。
また、図１では、一カ所に切断１５を設けたもので示したが、複数箇所の切断１５によってＭ結の調整を行っても良い。
【００１５】
また、図３〜図５は本発明の複同調回路の結合調整構造の第２実施例を示し、この第２実施例は、プリント基板１の他面側において、第１，第２コイル４，８の間を横切るように配置された調整用導電パターン２０を有する一対の接地用導電パターン１６，１７が設けられていると共に、プリント基板１の一面側に位置する接地用導電パターン１２，１３と、端面側に位置する接地用導電パターン１６，１７は、導体１９によって接続された構成となっている。
【００１６】
そして、第１，第２コイル４，８の間に位置する調整用導電パターン２０が一カ所、或いは複数箇所、切断２１されることによって結合度を増加させて、複同調回路のＭ結の調整を行うようになっている。
【００１７】
その他の構成は、第１実施例と同様であるので、同一部品に同一番号を付し、ここではその説明を省略する。
そして、この第２実施例例のように、プリント基板１の両面側に調整用導電パターン１４，２０を配置することによって、一層、広範囲のＭ結の調整ができるものである。
【００１８】
【発明の効果】
本発明の複同調回路の結合調整構造は、第１，第２コイル４，８がプリント基板１の一面に位置する第１の導電パターン５，９と、プリント基板１の他面に位置する第２の導電パターン６，１０とが互いに接続導体７，１１によって接続されて形成されたため、第１，第２コイル４，８の高さを小さくできて、薄型にできると共に、第１，第２コイル４，８の一端同士が近接して配置され、プリント基板１の少なくとも一面側には、第１の接地用導電パターン１２に繋がった調整用導電パターン１４が設けられて、この調整用導電パターン１４が切断１５されてＭ結を調整するようにしたため、複同調回路の結合の調整可能で容易なものが提供できる。
【００１９】
また、プリント基板１の他面側には、第２の接地用導電パターン１６が設けられ、第１，第２の接地用導電パターン１２，１６が導体１９によって接続されて、それぞれが同じ電位にできると共に、プリント基板１の両面で、Ｍ結の調整可能なものが得られる。
【００２０】
また、第２の調整用導電パターン２０が切断２１されてＭ結を調整するようにしたため、一層、広範囲のＭ結の調整ができる。
【図面の簡単な説明】
【図１】本発明の複同調回路の結合調整構造の第１実施例に係る平面図。
【図２】図１の２−２線における断面図。
【図３】複同調回路の結合調整構造の第２実施例に係る平面図。
【図４】図３の４−４線における断面図。
【図５】複同調回路の結合調整構造の第２実施例に係る下面図。
【図６】従来の複同調回路の結合調整構造を示す正面図。
【符号の説明】
１  プリント基板
１ａ  貫通孔
１ｂ  貫通孔
２  第１の同調回路
３  第２の同調回路
４  第１コイル
５  第１の導電パターン
５ａ  端部
５ｂ  端部
６  第２の導電パターン
７  接続導体
８  第２コイル
９  第１の導電パターン
９ａ  端部
９ｂ  端部
１０  第２の導電パターン
１１  接続導体
１２  接地用導電パターン
１３  接地用導電パターン
１４  調整用導電パターン
１５  切断
１６  接地用導電パターン
１７  接地用導電パターン
１９  導体
２０  調整用導電パターン
２１  切断
【図１】
0004397134.tif 000002
【図２】
0004397134.tif 000003
【図３】
0004397134.tif 000004
【図４】
0004397134.tif 000005
【図５】
0004397134.tif 000006
【図６】
0004397134.tif 000007